(57)【要約】【課題】シート状の不織布で形成された保護部材を、板状の保護部材の主面に垂直な方向に沿う力によって曲がり難くすること。【解決手段】ワイヤーハーネス１００は、複数の電線９と、電線９の延在方向に沿う直線状に設けられ、一方面１１側において凸状で、かつ、他方面１２側において凹状に形成された直線凸状部２２が、間隔を空けて並列に複数形成された一対の被覆部２１を備え、一対の被覆部２１の直線凸状部２２が重なった状態で複数の電線９をはさんで一括して保護し、不織布で形成された保護部材２と、を備える。【選択図】図２
2017139881.tif 000002
【特許請求の範囲】
【請求項１】
複数の電線と、
前記電線の延在方向に沿う直線状に設けられ、一方面側において凸状で、かつ、他方面側において凹状に形成された直線凸状部が、間隔を空けて並列に複数形成された一対の被覆部を備え、前記一対の被覆部の前記直線凸状部が重なった状態で前記複数の電線をはさんで一括して保護し、不織布で形成された保護部材と、を備える、ワイヤーハーネス。
【請求項２】
請求項１に記載のワイヤーハーネスであって、
前記一対の被覆部のうちの一方の前記他方面と、前記一対の被覆部のうちの他方の前記他方面と、が向かい合った状態で、前記複数の電線が前記直線凸状部の位置で前記一対の被覆部間に配設されている、ワイヤーハーネス。
【請求項３】
請求項２に記載のワイヤーハーネスであって、
前記複数の電線のうち隣り合う前記電線間に、前記直線凸状部で囲まれた空隙の空間が存在している、ワイヤーハーネス。
【請求項４】
請求項２又は請求項３に記載のワイヤーハーネスであって、
前記保護部材には、隣り合う前記直線凸状部の間の部分である連結部に、前記一対の被覆部が接続されて形成され、前記連結部を介して隣り合う前記直線凸状部で囲まれる空間を仕切る仕切部が形成されている、ワイヤーハーネス。
【請求項５】
請求項１に記載のワイヤーハーネスであって、
前記一対の被覆部のうちの一方の前記他方面と、前記一対の被覆部のうちの他方の前記一方面と、が向かい合った状態で前記複数の電線が前記一対の被覆部間に配設されている、ワイヤーハーネス。
【請求項６】
請求項１から請求項５のいずれか１項に記載のワイヤーハーネスであって、
前記保護部材は、前記一対の被覆部が別体として形成されている、ワイヤーハーネス。
【請求項７】
請求項１から請求項５のいずれか１項に記載のワイヤーハーネスであって、
前記保護部材は、前記一対の被覆部と、前記一対の被覆部を繋ぎ折り曲げられた折り曲げ部と、を含む１つの不織布部材を備える、ワイヤーハーネス。
【請求項８】
請求項１から請求項７のいずれか１項に記載のワイヤーハーネスであって、
前記保護部材には、隣り合う前記直線凸状部の間の部分である連結部に、前記被覆部を貫通する貫通孔が、１つ若しくは前記直線凸状部の延在方向に沿って複数形成されている、ワイヤーハーネス。
【請求項９】
請求項８に記載のワイヤーハーネスであって、
前記貫通孔は、複数の前記被覆部を含む被覆部母材から一の前記被覆部を切り離すための切断用の孔である、ワイヤーハーネス。
【請求項１０】
請求項８に記載のワイヤーハーネスであって、
前記貫通孔は、ワイヤーハーネス配策用の図板に設けられ、前記電線を支持する電線支持部が挿通可能な孔である、ワイヤーハーネス。
【請求項１１】
請求項８に記載のワイヤーハーネスであって、
前記貫通孔は、相手側部材に係止可能な係止部と長尺状に形成され巻付対象の周囲に巻回可能なバンド部と前記バンド部が前記巻付対象の周囲に巻回された状態を維持する維持部とを含むクランプ部のうち前記バンド部が挿通可能な孔である、ワイヤーハーネス。
【請求項１２】
請求項１から請求項１１のいずれか１項に記載のワイヤーハーネスであって、
前記複数の電線のうちの一部が、前記直線凸状部の延在方向の途中で、複数の前記直線凸状部が並ぶ方向に沿って前記保護部材の外部へ引き出されている、ワイヤーハーネス。
【請求項１３】
複数の電線と、
前記電線の延在方向に沿う直線状に設けられ、一方面側において凸状で、かつ、他方面側において凹状に形成された直線凸状部が、間隔を空けて並列に複数形成された一対の被覆部を備え、前記一対の被覆部の前記直線凸状部が重なった状態で前記複数の電線をはさんで一括して保護し、不織布で形成され、隣り合う前記直線凸状部の間の部分である連結部に、前記被覆部を貫通する貫通孔が、１つ若しくは前記電線の延在方向に沿って複数形成されている保護部材と、
相手側部材に係止可能な係止部と、長尺状に形成され、前記貫通孔を挿通しつつ前記一対の被覆部の前記直線凸状部の周囲に一括して巻回されたバンド部と、前記バンド部が前記一対の被覆部の前記直線凸状部の周囲に一括して巻回された状態を維持する維持部と、を含むクランプ部と、を備える、クランプ付ワイヤーハーネス。
【発明の詳細な説明】
【技術分野】
【０００１】
本発明は、不織布で形成された保護部材を含むワイヤーハーネス及びクランプ付ワイヤーハーネスに関する。
【背景技術】
【０００２】
特許文献１では、シート状の不織布が電線に巻かれた状態で、ホットプレスされることで、電線の周囲を保護する保護部材が得られる。
【先行技術文献】
【特許文献】
【０００３】
【特許文献１】特開２０１３−１８３５９７号公報
【発明の概要】
【発明が解決しようとする課題】
【０００４】
ところで、電線に巻き付けないで、シート状の不織布にホットプレスを行うことで、板状の保護部材を得ることができる。そして、板状の保護部材で電線を挟んで電線の保護を行う場合がある。しかしながら、板状の保護部材は、板状の保護部材の主面に垂直な方向に沿う力によって曲がり易い。
【０００５】
本発明は、シート状の不織布で形成された保護部材を、板状の保護部材の主面に垂直な方向に沿う力によって曲がり難くすることを目的とする。
【課題を解決するための手段】
【０００６】
第１態様に係るワイヤーハーネスは、複数の電線と、前記電線の延在方向に沿う直線状に設けられ、一方面側において凸状で、かつ、他方面側において凹状に形成された直線凸状部が、間隔を空けて並列に複数形成された一対の被覆部を備え、前記一対の被覆部の前記直線凸状部が重なった状態で前記複数の電線をはさんで一括して保護し、不織布で形成された保護部材と、を備える。
【０００７】
第２態様に係るワイヤーハーネスは、第１態様に係るワイヤーハーネスであって、前記一対の被覆部のうちの一方の前記他方面と、前記一対の被覆部のうちの他方の前記他方面と、が向かい合った状態で、前記複数の電線が前記直線凸状部の位置で前記一対の被覆部間に配設されている。
【０００８】
第３態様に係るワイヤーハーネスは、第２態様に係るワイヤーハーネスであって、前記複数の電線のうち隣り合う前記電線間に、前記直線凸状部で囲まれた空隙の空間が存在している。
【０００９】
第４態様に係るワイヤーハーネスは、第２態様又は第３態様に係るワイヤーハーネスであって、前記保護部材には、隣り合う前記直線凸状部の間の部分である連結部に、前記一対の被覆部が接続されて形成され、前記連結部を介して隣り合う前記直線凸状部で囲まれる空間を仕切る仕切部が形成されている。
【００１０】
第５態様に係るワイヤーハーネスは、第１態様に係るワイヤーハーネスであって、前記一対の被覆部のうちの一方の前記他方面と、前記一対の被覆部のうちの他方の前記一方面と、が向かい合った状態で前記複数の電線が前記一対の被覆部間に配設されている。
【００１１】
第６態様に係るワイヤーハーネスは、第１態様から第５態様のいずれか１つに係るワイヤーハーネスであって、前記保護部材は、前記一対の被覆部が別体として形成されている。
【００１２】
第７態様に係るワイヤーハーネスは、第１態様から第５態様のいずれか１つに係るワイヤーハーネスであって、前記保護部材は、前記一対の被覆部と、前記一対の被覆部を繋ぎ折り曲げられた折り曲げ部と、を含む１つの不織布部材を備える。
【００１３】
第８態様に係るワイヤーハーネスは、第１態様から第７態様のいずれか１つに係るワイヤーハーネスであって、前記保護部材には、隣り合う前記直線凸状部の間の部分である連結部に、前記被覆部を貫通する貫通孔が、１つ若しくは前記直線凸状部の延在方向に沿って複数形成されている。
【００１４】
第９態様に係るワイヤーハーネスは、第８態様に係るワイヤーハーネスであって、前記貫通孔は、複数の前記被覆部を含む被覆部母材から一の前記被覆部を切り離すための切断用の孔である。
【００１５】
第１０態様に係るワイヤーハーネスは、第８態様に係るワイヤーハーネスであって、前記貫通孔は、ワイヤーハーネス配策用の図板に設けられ、前記電線を支持する電線支持部が挿通可能な孔である。
【００１６】
第１１態様に係るワイヤーハーネスは、第８態様に係るワイヤーハーネスであって、前記貫通孔は、相手側部材に係止可能な係止部と長尺状に形成され巻付対象の周囲に巻回可能なバンド部と前記バンド部が前記巻付対象の周囲に巻回された状態を維持する維持部とを含むクランプ部のうち前記バンド部が挿通可能な孔である。
【００１７】
第１２態様に係るワイヤーハーネスは、第１態様から第１１態様のいずれか１つに係るワイヤーハーネスであって、前記複数の電線のうちの一部が、前記直線凸状部の延在方向の途中で、複数の前記直線凸状部が並ぶ方向に沿って前記保護部材の外部へ引き出されている。
【００１８】
第１３態様に係るクランプ付ワイヤーハーネスは、複数の電線と、前記電線の延在方向に沿う直線状に設けられ、一方面側において凸状で、かつ、他方面側において凹状に形成された直線凸状部が、間隔を空けて並列に複数形成された一対の被覆部を備え、前記一対の被覆部の前記直線凸状部が重なった状態で前記複数の電線をはさんで一括して保護し、不織布で形成され、隣り合う前記直線凸状部の間の部分である連結部に、前記被覆部を貫通する貫通孔が、１つ若しくは前記電線の延在方向に沿って複数形成されている保護部材と、相手側部材に係止可能な係止部と、長尺状に形成され、前記貫通孔を挿通しつつ前記一対の被覆部の前記直線凸状部の周囲に一括して巻回されたバンド部と、前記バンド部が前記一対の被覆部の前記直線凸状部の周囲に一括して巻回された状態を維持する維持部と、を含むクランプ部と、を備える。
【発明の効果】
【００１９】
上記の各態様では、不織布で形成された保護部材は、直線凸状部が並列に複数形成された一対の被覆部を含む、直線凸状部は、電線の延在方向に沿って形成されている。そして、複数の電線が、一対の被覆部によって一括してはさまれ保護されている。この場合、直線凸状部が形成されていることにより、保護部材の中央を基点に保護部材のうち電線の延在方向における両端を近付けるように曲げにくくなる。即ち、シート状の不織布で形成された保護部材を、板状の保護部材の主面に垂直な方向に沿う力によって曲がり難くすることができる。
【００２０】
第２態様では、一対の被覆部のうちの一方の他方面と、一対の被覆部のうちの他方の他方面とが、向かい合った状態で、複数の電線が直線凸状部の位置で一対の被覆部間に配設されている。この場合、電線が挿通される空間をより大きくすることができる。
【００２１】
第３態様では、複数の電線のうち隣り合う電線間に、直線凸状部で囲まれた空隙の空間が存在している。この場合、電線間の距離を大きくすることができ、その結果、電線が別の電線が収容される空間に移動し、電線同士が接触することをより抑制できる。
【００２２】
第４態様では、保護部材には、隣り合う直線凸状部の間の部分である連結部に、一対の被覆部が接続されて形成され、連結部を介して隣り合う直線凸状部ではさまれる空間を仕切る仕切部が形成されている。この場合、仕切部によって、電線が隣の直線凸状部によって囲まれる空間へ移動することを抑制できる。
【００２３】
第５態様では、一対の被覆部のうちの一方の他方面と、一対の被覆部のうちの他方の一方面と、が向かい合った状態で、複数の電線が一対の被覆部間に配設されている。この場合、保護部材の厚み方向における寸法が小さくなるため、このワイヤーハーネスは、扁平な空間への配設に適する。
【００２４】
第６態様では、保護部材は、一対の被覆部が別体として形成されている。この場合、２つの不織布部材で複数の電線をはさむようにして、複数の電線が一対の被覆部に覆われる。このため、複数の電線に保護部材を取り付ける作業を行い易い。
【００２５】
第７態様では、保護部材は、一対の被覆部と、一対の被覆部を繋ぎ折り曲げられた折り曲げ部と、を含む１つの不織布部材を備える。この場合、１つの不織布部材で複数の電線の周囲を覆うことができるため、ワイヤーハーネスを構成する部品点数が少なくなる。
【００２６】
第８態様では、保護部材には、隣り合う直線凸状部の間の部分である連結部に、被覆部を貫通する貫通孔が、１つ若しくは直線凸状部の延在方向に沿って複数形成されている。この場合、貫通孔を、治具を通す孔、被覆部の切断用孔又はクランプ部の取付け用の孔として利用できる。
【００２７】
第９態様では、貫通孔は、複数の被覆部を含む被覆部母材から一の被覆部を切り離すための切断用の孔である。この場合、被覆部母材から被覆部を簡単に切り取ることができる。
【００２８】
第１０態様では、貫通孔は、ワイヤーハーネス配策用の図板に設けられ電線を支持する電線支持部が挿通可能な孔である。この場合、治具に貫通孔を利用して被覆部をセットした状態で、被覆部へ電線を配設することで、電線の配設作業をより簡単に行うことができる。即ち、保護部材を複数の電線に取り付ける作業を簡単に行うことができる。
【００２９】
第１１態様では、貫通孔は、相手側部材に係止可能な係止部と長尺状に形成され巻付対象の周囲に巻回可能なバンド部とバンド部が巻付対象の周囲に巻回された状態を維持する維持部とを含むクランプ部のうちバンド部が挿通可能な孔である。この場合、保護部材にクランプ部を簡単に取り付けることができ、保護部材を相手側部材に固定することができる。
【００３０】
第１２態様では、複数の電線のうちの一部が、直線凸状部の延在方向の途中で複数の直線凸状部が並ぶ方向に沿って保護部材の外部へ引き出されている。即ち、このワイヤーハーネスでは、分岐部を有する電線を保護することができる。
【００３１】
第１３態様では、保護部材にクランプ部を簡単に取り付けることができ、保護部材を相手側部材に固定することができる。
【図面の簡単な説明】
【００３２】
【図１】第１実施形態に係るワイヤーハーネスにおける被覆部の斜視図である。
【図２】第１実施形態に係るワイヤーハーネスの斜視図である。
【図３】第２実施形態に係るワイヤーハーネスの斜視図である。
【図４】第３実施形態に係るワイヤーハーネスにおける不織布部材の斜視図である。
【図５】第３実施形態に係るワイヤーハーネスの斜視図である。
【図６】第４実施形態に係るワイヤーハーネスの上方斜視図である。
【図７】第４実施形態に係るワイヤーハーネスの製造方法を説明する説明図である。
【図８】第５実施形態に係るワイヤーハーネスの斜視図である。
【図９】第５実施形態に係るワイヤーハーネスの製造方法を説明する説明図である。
【図１０】第５実施形態に係るワイヤーハーネスの製造方法を説明する説明図である。
【図１１】第６実施形態に係るワイヤーハーネスの一部拡大断面図である。
【図１２】第６実施形態に係るワイヤーハーネスにおける保護部材の断面図である。
【図１３】第６実施形態に係るワイヤーハーネスの正面図である。
【図１４】第７実施形態に係るワイヤーハーネスの上方斜視図である。
【図１５】第８実施形態に係るワイヤーハーネスにおける不織布部材の斜視図である。
【図１６】第８実施形態に係るワイヤーハーネスの斜視図である。
【発明を実施するための形態】
【００３３】
以下、添付の図面を参照しつつ、本発明の実施形態について説明する。以下の実施形態は、本発明を具現化した一例であり、本発明の技術的範囲を限定する事例ではない。
【００３４】
＜第１実施形態＞
まず、図１，２を参照しつつ、第１実施形態に係るワイヤーハーネス１００について説明する。ワイヤーハーネス１００は、複数の電線９と不織布で形成された保護部材２とを備える。保護部材２は、一対の被覆部２１を備える。図１は、保護部材２の一対の被覆部２１のうちの一方を示す斜視図である。図２は、ワイヤーハーネス１００の斜視図である。
【００３５】
まず、電線９について説明する。電線９は、例えば、芯線とこの芯線の周囲を覆う絶縁被覆とを備える。ワイヤーハーネス１００は、複数（ここでは、４つ）の電線９を備えている。
【００３６】
次に保護部材２について説明する。保護部材２は、不織布で形成された部材である。ここでは、保護部材２は、一対の被覆部２１を備える。本実施形態では、保護部材２に含まれる一対の被覆部２１が、別体として形成されている。
【００３７】
被覆部２１は、シート状の不織布がホットプレスされることにより硬化した部材である。この被覆部２１は、防音性及びある程度の柔軟性を有する。
【００３８】
図１に示されるように、被覆部２１には、電線９の延在方向に沿う直線状に設けられ、一方面１１側において凸状で、かつ、他方面１２側において凹状に形成された直線凸状部２２が、間隔を空けて並列に複数形成されている。なお、以下では、隣り合う直線凸状部２２の間の部分を連結部２３と称する。
【００３９】
ここでは、直線凸状部２２は、直線凸状部２２の延在方向に沿って見て、平坦な直線状の部分とこの平坦な直線状の部分の両端にそれぞれ連なる傾斜する直線状の部分とを含んでいる。図１，２に示される例では、直線凸状部２２は、直線凸状部２２の延在方向に沿って見て、台形状（より具体的には、等脚台形状）に形成されている。しかしながら、直線凸状部２２が、直線凸状部２２の延在方向に沿って見て、矩形状に形成されている場合も考えられる。また、被覆部２１が、直線凸状部２２の延在方向に沿って見て、波形状に形成されている場合、即ち、直線凸状部２２が、直線凸状部２２の延在方向に沿って見て、Ｖ字状又はＵ字状に形成されている場合も考えられる。
【００４０】
そして、保護部材２は、２つの被覆部２１（一対の被覆部２１）が重ね合わされることで形成される。ここでは、一対の被覆部２１の直線凸状部２２が重なった状態で重ね合わされる。即ち、保護部材２は、一対の被覆部２１の直線凸状部２２が重なった状態で、複数の電線９をはさんで一括して保護する。
【００４１】
２つの被覆部２１が上記のように重ね合わされることで、２つの被覆部２１の直線凸状部２２に囲まれた空間２５が形成される。ここでは、空間２５は、直線凸状部２２の延在方向に沿って見て、六角形状の空間である。空間２５には、１つ若しくは２つ以上の電線９が配設される。なお、本実施形態では、図２に示されるように、それぞれの空間２５に、１つの電線９が配設されている。
【００４２】
次に、ワイヤーハーネス１００の製造方法について説明する。ここでは、２つの被覆部２１各々の他方面１２がその間に複数の電線９を介して向かい合った状態で、２つの被覆部２１同士が近付けられる。より具体的には、２つの被覆部２１のうちの一方の直線凸状部２２の他方面１２側の溝に電線９が配設された状態で、２つの被覆部２１のうちの他方の直線凸状部２２が２つの被覆部２１のうちの一方の直線凸状部２２に重なるように、２つの被覆部２１各々の他方面１２同士が接触させられる。これにより、複数の電線９を一括して保護する保護部材２を得ることができる。
【００４３】
また、本実施形態では、保護部材２には、一対の被覆部２１が接続されて形成され、連結部２３を介して隣り合う直線凸状部２２で囲まれる空間２５を仕切る仕切部２６が形成されている。
【００４４】
ここでは、図２に示されるように、仕切部２６は、連結部２３において２つの被覆部２１の他方面１２同士が接続された部分である。例えば、仕切部２６は、２つの被覆部２１が重なった状態で、連結部２３が超音波溶接されることで形成される溶着部であることが考えられる。また、仕切部２６が、連結部２３が加熱された金型でプレスされることで形成される場合、即ち、加熱プレスされることで形成される場合も考えられる。なお、別の例として、仕切部２６が、２つの被覆部２１を貫通するように連結部２３に設けられた樹脂製のピンである場合又は２つの被覆部２１を貼り合わせるテープである場合等も考えられる。
【００４５】
また、図２に示されるように、ワイヤーハーネス１００が、一対の被覆部２１の周囲を一括して覆う結束部材１５をさらに備える場合も考えられる。結束部材１５は、例えば、テープ又はバンド等が考えられる。
【００４６】
本実施形態では、以下の効果を有する。即ち、不織布で形成された保護部材２は、直線凸状部２２が並列に複数形成された一対の被覆部２１を含む、直線凸状部２２は、電線９の延在方向に沿って形成されている。そして、複数の電線９が、一対の被覆部２１によって一括してはさまれ保護されている。この場合、直線凸状部２２が形成されていることにより、保護部材２の中央を基点に保護部材２のうち電線９の延在方向における両端を近付けるように曲げにくくなる。即ち、シート状の不織布で形成された保護部材２を、板状の保護部材２の主面に垂直な方向に沿う力によって曲がり難くすることができる。
【００４７】
また、本実施形態では、一対の被覆部２１のうちの一方の他方面１２と、一対の被覆部２１のうちの他方の他方面１２とが、向かい合った状態で、複数の電線９が直線凸状部２２の位置で一対の被覆部２１間に配設されている。この場合、電線９が挿通される空間２５をより大きくすることができる。
【００４８】
また、本実施形態では、保護部材２には、隣り合う直線凸状部２２の間の部分である連結部２３に、一対の被覆部２１が接続されて形成され、連結部２３を介して隣り合う直線凸状部２２ではさまれる空間２５を仕切る仕切部２６が形成されている。この場合、仕切部２６によって、電線９が隣の直線凸状部２２によって囲まれる空間２５へ移動することを抑制できる。
【００４９】
また、本実施形態では、保護部材２は、一対の被覆部２１が別体として形成されている。この場合、２つの不織布部材（被覆部２１）で複数の電線９をはさむようにして、複数の電線９が一対の被覆部２１に覆われる。このため、複数の電線９に保護部材２を取り付ける作業を行い易い。
【００５０】
＜第２実施形態＞
次に、図３，４を参照しつつ、第２実施形態に係るワイヤーハーネス２００について説明する。ワイヤーハーネス２００は、複数の電線９と保護部材２Ａとを備える。図３は、ワイヤーハーネス２００の斜視図である。図４は、保護部材２Ａを構成する不織布部材２０Ａを示す斜視図である。なお、図３，４に示さされる構成要素のうち、図１，２に示される構成要素と同じ構成要素については、同じ参照符号が付されている。以下、本実施形態における第１実施形態と異なる点について説明する。
【００５１】
本実施形態では、保護部材２Ａが、第１実施形態の保護部材２と異なる。保護部材２Ａは、一対の被覆部２１と、一対の被覆部２１を繋ぎ折り曲げられた折り曲げ部２７と、を含む１つの不織布部材２０Ａを備える。
【００５２】
不織布部材２０Ａは、シート状の不織布がホットプレスされることにより硬化した部材である。不織布部材２０Ａは、その一方主面２１Ａ側において凸状で、かつ、一方主面２１Ａに対する反対側の他方主面２２Ａ側において凹状に形成された直線突出部８を含む。
【００５３】
ここでは、直線突出部８１は、不織布部材２０Ａを横切るように直線状に形成されている。図３に示されるように、直線突出部８１は、不織布部材２０Ａの短手方向に延在して形成されている。また、図４に示されるように、不織布部材２０Ａには、複数の直線突出部８１が間隔を空けて並列して形成されている。
【００５４】
また、図４に示されるように、隣り合う直線突出部８１は、一部を除き、突出部連結部８２によって繋がれている。
【００５５】
また、不織布部材２０Ａは、一部の直線突出部８間に、折り曲げ基部２７Ａを備えている。折り曲げ基部２７Ａは、折り曲げられることで、この折り曲げ基部２７Ａの両側に存在する部分を重ね合わせる部分である。
【００５６】
ここでは、折り曲げ基部２７Ａは、突出部連結部８２よりもその幅（直線凸状部２２が並ぶ方向における寸法）が大きくなるように構成されている。また、折り曲げ基部２７Ａは、折り曲げやすい構造とされていることが考えられる。例えば、折り曲げ基部２７Ａが、突出部連結部８２よりも軟らかく形成されていること又は突出部連結部８２よりも厚みが薄く形成され折り曲げ基部２７Ａがヒンジのように変形すること等が考えられる。また、折り曲げ基部２７Ａに、例えば、筋状のスリット等の貫通孔が、直線突出部８１の延在方向に沿って複数形成されていることも考えられる。
【００５７】
ワイヤーハーネス２００においては、まず、１つの不織布部材２０Ａで、複数の電線９を一括してはさむように、不織布部材２０Ａを折り曲げ基部２７Ａで折り曲げる。ここでは、折り曲げ基部２７Ａの両側の部分の他方主面２２Ａ同士が接触するように、不織布部材２０Ａが折り曲げ基部２７Ａで折り曲げられる。
【００５８】
また、ここでは、折り曲げ基部２７Ａの両側の部分の直線突出部８１同士及び突出部連結部８２同士が重なるように、折り曲げ基部２７Ａの両側の部分が複数の電線９を介して重ね合わされる。これにより、２つの直線突出部８１に囲まれた空間２５が形成される。空間２５には、電線９が挿通される。また、２つの突出部連結部８２が重なった状態とされる。
【００５９】
即ち、折り曲げ基部２７Ａを介して隣り合う両側の部分は、保護部材２Ａにおける一対の被覆部２１を成す。また、直線突出部８１は、被覆部２１の直線凸状部２２を成す。また、突出部連結部８２は、被覆部２１の連結部２３を成す。
【００６０】
ここで、本実施形態における、不織布部材２０Ａの一方主面２１Ａ及び他方主面２２Ａと、被覆部２１の一方面１１及び他方面１２と、の関係について説明する。まず、不織布部材２０Ａにおける一方主面２１Ａとは、折り曲げ基部２７Ａが曲げられていない状態での不織布部材２０Ａの一方側の主面を意味する。これと同様に、不織布部材２０Ａにおける他方主面２２Ａとは、折り曲げ基部２７Ａが曲げられていない状態での不織布部材２０Ａの他方側の主面を意味する。不織布部材２０Ａにおいては、直線突出部８１は、一方主面２１Ａ側で凸状を成し、他方主面２２Ａ側で凹状を成している。
【００６１】
一方、被覆部２１の一方面１１及び他方面１２は、折り曲げ基部２７Ａが折り曲げられて折り曲げ部２７とされた保護部材２Ａにおける被覆部２１の２つの主面を指す。即ち、折り曲げ部２７を除いて被覆部２１単体でみたときに、直線凸状部２２が凸状を成す方の面が、一方面１１であり、直線凸状部２２が凹状を成す方の面が、他方面１２である。
【００６２】
従って、不織布部材２０Ａの一方主面２１Ａは、保護部材２Ａにおける一対の被覆部２１の２つの一方面１１を成すといえる。また、これと同様に、不織布部材２０Ａの他方主面２２Ａは、保護部材２Ａにおける一対の被覆部２１の２つの他方面１２を成すといえる。
【００６３】
本実施形態では、以下の効果を有する。即ち、第１実施形態と同様、シート状の不織布で形成された保護部材２Ａを、板状の保護部材２Ａの主面に垂直な方向に沿う力によって曲がり難くすることができる。
【００６４】
また、本実施形態では、保護部材２Ａは、一対の被覆部２１と、一対の被覆部２１を繋ぎ折り曲げられた折り曲げ部２７と、を含む１つの不織布部材２０Ａを備える。この場合、１つの不織布部材２０Ａで複数の電線９の周囲を覆うことができるため、ワイヤーハーネス２００を構成する部品点数が少なくなる。
【００６５】
＜第３実施形態＞
次に、図５を参照しつつ、第３実施形態に係るワイヤーハーネス３００について説明する。ワイヤーハーネス３００は、複数の電線９と保護部材２Ｂとを備える。図５は、ワイヤーハーネス３００の斜視図である。なお、図５に示さされる構成要素のうち、図１〜４に示される構成要素と同じ構成要素については、同じ参照符号が付されている。以下、本実施形態における上記の各実施形態と異なる点について説明する。
【００６６】
本実施形態では、保護部材２Ｂが、第１実施形態の保護部材２及び第２実施形態の保護部材２Ａと異なる。
【００６７】
図５に示されるように、保護部材２Ｂは、一対の被覆部２１を備える。ここでは、一対の被覆部２１は、それぞれ別体として形成されている。この点は、第１実施形態と同様である。
【００６８】
本実施形態では、一対の被覆部２１のうちの一方の他方面１２と、一対の被覆部２１のうちの一方の一方面１１と、が向かい合った状態で複数の電線９が一対の被覆部２１間に配設されている。
【００６９】
即ち、図５に示されるように、一対の被覆部２１のうちの一方の直線凸状部２２が他方面１２側で成す溝に、一対の被覆部２１のうちの他方の直線凸状部２２が挿入されている。そして、ここでは、直線凸状部２２と連結部２３との位置で、一対の被覆部２１間に電線９が配設されている。なお、別の例として、直線凸状部２２の位置でのみ若しくは連結部２３の位置でのみ、一対の被覆部２１間に電線９が配設されている場合も考えられる。
【００７０】
本実施形態では、以下の効果を有する。即ち、上記の各実施形態と同様、シート状の不織布で形成された保護部材２Ｂを、板状の保護部材２Ｂの主面に垂直な方向に沿う力によって曲がり難くすることができる。
【００７１】
また、本実施形態では、一対の被覆部２１のうちの一方の他方面１２と、一対の被覆部２１のうちの他方の一方面１１と、が向かい合った状態で、複数の電線９が一対の被覆部２１間に配設されている。この場合、保護部材２Ｃの厚み方向における寸法が小さくなるため、このワイヤーハーネス３００は、扁平な空間への配設に適する。
【００７２】
＜第４実施形態＞
次に、図６，７を参照しつつ、第４実施形態に係るワイヤーハーネス４００について説明する。ワイヤーハーネス４００は、複数の電線９と保護部材２Ｃとを備える。図６は、ワイヤーハーネス４００を上方から見た図である。図７は、保護部材２Ｃの被覆部２１を製造する様子を説明する説明図である。なお、図６，７に示さされる構成要素のうち、図１〜５に示される構成要素と同じ構成要素については、同じ参照符号が付されている。以下、本実施形態における上記の各実施形態と異なる点について説明する。
【００７３】
本実施形態では、図６に示されるように、保護部材２Ｃには、隣り合う直線凸状部２２の間の部分である連結部２３に、被覆部２１を貫通する貫通孔５Ｃが、１つ若しくは直線凸状部２２の延在方向に沿って複数形成されている。
【００７４】
ここでは、保護部材２Ｃは、第１実施形態と同様、別体としてそれぞれ形成された一対の被覆部２１を含む。そして、貫通孔５Ｃは、複数の被覆部２１を含む被覆部母材６１から一の被覆部２１を切り離すための切断用の孔である。
【００７５】
ここでは、図６に示されるように、貫通孔５Ｃは、直線凸状部２２の延在方向に沿って複数形成されている。貫通孔５Ｃは、例えば、作業者が貫通孔５Ｃの両側の部分を支持して、離間する向きに力を加えて簡単に貫通孔５Ｃで切断できる孔であることが考えられる。例えば、貫通孔５Ｃは、円形状の孔である場合又は筋状のスリットである場合等が考えられる。
【００７６】
次に、ワイヤーハーネス４００の製造方法について説明する。まず、図７に示されるように、ロール状とされ、複数の被覆部２１を含む被覆部母材６１から、一の被覆部２１が切り離される。
【００７７】
一の被覆部２１を切り取った後、ここでは、被覆部母材６１からもう１つ被覆部２１が切り離される。そして、その後は、第１実施形態と同様、２つの被覆部２１各々の他方面１２がその間に複数の電線９を介して向かい合った状態で、２つの被覆部２１同士が近付けられる。これにより、ワイヤーハーネス４００を得ることができる。なお、ワイヤーハーネス４００において、さらに、連結部２３に仕切部２６が形成されてもよい。
【００７８】
本実施形態では、以下の効果を有する。即ち、上記の各実施形態と同様、シート状の不織布で形成された保護部材２Ｃを、板状の保護部材２Ｃの主面に垂直な方向に沿う力によって曲がり難くすることができる。
【００７９】
また、本実施形態では、保護部材２Ｃには、隣り合う直線凸状部２２の間の部分である連結部２３に、被覆部を貫通する貫通孔５Ｃが、１つ若しくは直線凸状部２２の延在方向に沿って複数形成されている。この場合、この貫通孔５Ｃを、被覆部２１の切断用の孔として利用できる。
【００８０】
即ち、本実施形態では、貫通孔５Ｃは、複数の被覆部２１を含む被覆部母材６１から一の被覆部２１を切り離すための切断用の孔である。この場合、被覆部母材６１から被覆部２１を簡単に切り取ることができる。
【００８１】
なお、切断用の道具（例えば、ハサミ等）によって、一の被覆部２１が被覆部母材６１から切り離される場合も考えられる。
【００８２】
＜第５実施形態＞
次に、図８〜１０を参照しつつ、第５実施形態に係るワイヤーハーネス５００について説明する。ワイヤーハーネス５００は、複数の電線９と保護部材２Ｄとを備える。図８は、ワイヤーハーネス５００の斜視図である。図９，１０は、ワイヤーハーネス５００の製造作業を説明する説明図である。なお、図８〜１０に示さされる構成要素のうち、図１〜７に示される構成要素と同じ構成要素については、同じ参照符号が付されている。以下、本実施形態における上記の各実施形態と異なる点について説明する。
【００８３】
本実施形態では、図８に示されるように、保護部材２Ｄには、隣り合う直線凸状部２２の間の部分である連結部２３に、被覆部２１を貫通する貫通孔５Ｄが、１つ若しくは直線凸状部２２の延在方向に沿って複数形成されている。ここでは、保護部材２Ｄは、第１実施形態と同様、別体としてそれぞれ形成された一対の被覆部２１を含む。ちなみに、図８〜１０に示される例では、被覆部２１の直線凸状部２２の数が、第１実施形態の例と異なっている。
【００８４】
本実施形態では、貫通孔５Ｄは、ワイヤーハーネス配策用の図板６２に設けられ電線９を支持する電線支持部６３が挿通可能な孔である。
【００８５】
ここで、ワイヤーハーネス配策用の図板６２は、板状に形成されている。図板６２では、電線９の結束作業及び電装部品装着作業等が行われる。
【００８６】
また、図板６２には、電線支持部６３が作業面側に突出した形態で設けられている。電線支持部６３は、電線９を支持可能に構成されている。図１０に示されるように、電線支持部６３は、電線９の配線経路に合わせた位置に設けられている。
【００８７】
電線支持部６３は、先端部６４が２つに分岐した形状を有する。そして、２つの先端部６４の間には、電線９を保持可能な凹み（溝）が形成されている。ここでは、電線支持部６３の溝は、略Ｕ字状に形成されており、その略Ｕ字状部分内に電線９を配することで、この電線９を一定位置にて保持する構成とされている。なお、電線支持部６３の溝が、Ｖ字状等の別の形状であってもよい。
【００８８】
そして、被覆部２１の貫通孔５Ｄは、電線支持部６３の先端部６４を挿通可能な孔である。即ち、貫通孔５Ｄは、先端部６４の断面形状（先端部６４の延在方向に直交する断面での形状）と同じ形状の孔であること又はそれよりも大きな孔であることが考えられる。
【００８９】
ここでは、一の直線凸状部２２をはさんで隣り合う一組の貫通孔５Ｄ各々が、直線凸状部２２の延在方向における同じ位置に形成されている。このため、一の電線支持部６３の２つの先端部６４がそれぞれ、上記一組の貫通孔５Ｄ各々に挿通される。これにより、この一組の貫通孔５Ｄによってはさまれた直線凸状部２２が、電線支持部６３の溝内に配設され、電線支持部６３によって被覆部２１が支持される。
【００９０】
以下、ワイヤーハーネス５００の製造方法について説明する。まず、図９，１０に示されるように、一対の被覆部２１のうちの一方の貫通孔５Ｄに、被覆部２１の一方面１１が図板６２側を向く姿勢で、図板６２に設けられた電線支持部６３の先端部６４を挿通し、１つの被覆部２１を電線支持部６３に取り付ける。これにより、電線支持部６３の溝内に、被覆部２１の直線凸状部２２が配設される。
【００９１】
そして、電線支持部６３によって支持された被覆部２１の直線凸状部２２が成す他方面１２側の溝に、電線９を配設する。
【００９２】
その後、一対の被覆部２１のうちの他方を、この被覆部２１の他方面１２が電線支持部６３に支持された一対の被覆部２１のうちの一方を向く姿勢で、一対の被覆部２１のうちの一方に近付ける。ここでは、一対の被覆部２１のうちの他方の貫通孔５Ｄに電線支持部６３の先端部６４が挿通されることで、電線９が、一対の被覆部２１の直線凸状部２２が成す空間２５内に配設される。そして、一対の被覆部２１を、電線支持部６３から取り外すことで、ワイヤーハーネス５００を得ることができる。なお、ワイヤーハーネス５００において、さらに、連結部２３に仕切部２６が形成されてもよい。
【００９３】
また、ワイヤーハーネス５００では、複数の電線９のうち隣り合う電線９間に、直線凸状部２２で囲まれた空隙の空間２５が存在している。ここでは、図８に示されるように、３つの空間２５のうち、真ん中の空間２５が、空隙とされている。この場合、空間２５に収容された電線９が、その隣の電線９と接触すること及び保護部材２Ｄ内で別の電線９が収容される空間２５に移動することをより抑制できる。このようなワイヤーハーネス５００は、保護部材２Ｄ内に配設される電線９の種類が異なる場合等に有効である。即ち、例えば、複数の電線９が、電源線と信号線とを含む場合、電源線と信号線とを空隙の空間２５を介して隣り合うように配設することで、電線９同士が接触すること及び各電線へのノイズを低減することが可能である。
【００９４】
本実施形態では、以下の効果を有する。即ち、上記の各実施形態と同様、シート状の不織布で形成された保護部材２Ｄを、板状の保護部材２Ｄの主面に垂直な方向に沿う力によって曲がり難くすることができる。
【００９５】
また、本実施形態では、複数の電線９のうち隣り合う電線９間に、直線凸状部２２で囲まれた空隙の空間２５が存在している。この場合、電線９間の距離を大きくすることができ、その結果、電線９が別の電線９が収容される空間２５に移動し、電線９同士が接触することをより抑制できる。
【００９６】
また、本実施形態では、保護部材２Ｄには、隣り合う直線凸状部２２の間の部分である連結部２３に、被覆部２１を貫通する貫通孔５Ｄが、１つ若しくは直線凸状部２２の延在方向に沿って複数形成されている。この場合、貫通孔５Ｄを、治具を通す孔として利用できる。
【００９７】
即ち、本実施形態では、貫通孔５Ｄは、ワイヤーハーネス配策用の図板６２に設けられ電線９を支持する電線支持部６３が挿通可能な孔である。この場合、治具（電線支持部６３）に貫通孔５Ｄを利用して被覆部２１をセットした状態で、被覆部２１へ電線９を配設することで、電線９の配設作業をより簡単に行うことができる。即ち、保護部材２Ｄを複数の電線９に取り付ける作業を簡単に行うことができる。
【００９８】
＜第６実施形態＞
次に、図１１〜１３を参照しつつ、第６実施形態に係るワイヤーハーネス６００について説明する。ワイヤーハーネス６００は、複数の電線９と保護部材２Ｅとクランプ部３とを備える。図１１は、ワイヤーハーネス６００のクランプ部３付近を拡大した断面図である。図１２は、ワイヤーハーネス６００の保護部材２Ｅを示す断面図である。図１３は、ワイヤーハーネス６００の正面図である。なお、図１１〜１３に示さされる構成要素のうち、図１〜１０に示される構成要素と同じ構成要素については、同じ参照符号が付されている。以下、本実施形態における上記の各実施形態と異なる点について説明する。
【００９９】
まず、クランプ部３について説明する。クランプ部３は、例えば、樹脂製の部材であることが考えられる。図１１，１３に示されるように、クランプ部３は、相手側部材７に係止可能な係止部３１と、長尺状に形成され巻付対象の周囲に巻回可能なバンド部３２と、バンド部３２が巻付対象の周囲に巻回された状態を維持する維持部３３と、を備える。なお、ここでは、クランプ部３は、さらに、皿ばね部３４も備えている。以下、各構成の詳細について説明する。
【０１００】
係止部３１は、図１１，１３に示されるように、相手側部材７に形成された固定孔７１に挿入される挿入部３１２と挿入部３１２の先端に形成された一対の係止片３１１とを備える。ここで、相手側部材７は、板状の部材であり、例えば、車体を構成する金属パネル等が考えられる。また、固定孔７１は、相手側部材７の一方側の主面である一方面７５側から他方側の主面である他方面７６側に貫通する貫通孔である。
【０１０１】
ここでは、挿入部３１２は、棒状に形成されている。そして、挿入部３１２の先端には、挿入部３１２からそれぞれ反対側に向かって離れるにつれ挿入部３１２の先端から後端側に向かって延びて形成された一対の係止片３１１が形成されている。一対の係止片３１１は、弾性変形可能に構成されている。一対の係止片３１１は、固定孔７１の開口縁部に接触して係止可能である。
【０１０２】
より具体的に説明する。ここでは、自然状態のクランプ部３において、一対の係止片３１１の幅（一対の係止片３１１のうちの一方の突出先端から他方の突出先端までの幅）は、固定孔７１の幅よりも大きく設定されている。そして、自然状態のクランプ部３においては、一対の係止片３１１の先端と挿入部３１２との間には、隙間が形成されており、係止片３１１の先端が挿入部３１２側に近づくように、係止部３１が弾性変形可能に構成されている。即ち、一対の係止片３１１の幅が、固定孔７１の幅よりも小さくなるように弾性変形可能に構成されている。この場合、一対の係止片３１１の幅が固定孔７１の幅よりも小さくなるように変形することで、係止部３１が固定孔７１に挿通及び通過可能となる。そして、一対の係止片３１１が固定孔７１を通過後に、弾性変形していたものが元の形状に復帰することで、その幅が固定孔７１の幅よりも大きくなり、係止片３１１が、固定孔７１の開口縁部に引っ掛かる。これにより、係止部３１が固定孔７１に係止し、クランプ部３が相手側部材７に固定される。
【０１０３】
次にバンド部３２について説明する。ここでは、バンド部３２は、細帯状に形成されている。バンド部３２は、保護部材２Ｅの貫通孔５Ｅを挿通可能である。そして、バンド部３２は、貫通孔５Ｅに挿通されて、一対の被覆部２１の直線凸状部２２の周囲、即ち、一対の被覆部２１の直線凸状部２２によって囲まれる空間２５の周囲に一括して巻回される。なお、図１３に示されるように、ここでは、バンド部３２は、１つの空間２５の周囲に巻回されている。しかしながら、別の例として、バンド部３２が、２つ以上の空間２５の周囲に一括して巻回される場合も考えられる。従って、例えば、バンド部３２が、一対の被覆部２１のそれぞれ２つの直線凸状部２２によって囲まれる２つの空間２５及びその空間２５を繋ぐ連結部２３の周囲を一括して覆う場合も考えられる。
【０１０４】
また、ここでは、バンド部３２の一端３２１は、維持部３３に連なって形成されている。しかしながら、バンド部３２と維持部３３とが別体の構成であってもよい。
【０１０５】
また、図１１に示されるように、バンド部３２には、バンド部３２の一方主面３２９側で凹状に形成された係止凹部３２２が、バンド部３２の延在方向に沿って複数形成されている。なお、バンド部３２の一方主面３２９は、バンド部３２を空間２５の周囲に巻回した状態で、空間２５側（内側）を向く面である。
【０１０６】
次に維持部３３について説明する。維持部３３は、バンド部３２が一対の被覆部２１の直線凸状部２２の周囲に一括して巻回された状態を維持する。ここでは、図１１に示されるように、維持部３３には、バンド部３２を挿通可能な挿通孔３３１が形成されている。そして、挿通孔３３１の内部に、バンド部３２の係止凹部３２２に係止可能な係止凸部３３２が形成されている。
【０１０７】
挿通孔３３１は、維持部３３の一方の側面から他方の側面へ貫通する貫通孔である。バンド部３２は、例えば、維持部３３の一方の側面側から挿通孔３３１に挿入され、他方の側面側から引き出される。
【０１０８】
係止凸部３３２は、挿通孔３３１を成す内壁面の一部から突出して形成されている。ここでは、図１１に示されるように、係止凸部３３２は、バンド部３２側の内壁面から係止部３１側に突出する形状に形成されている。また、自然状態において、係止凸部３３２の突出先端と、バンド部３２側の内壁面と、の間には、隙間が形成されている。そして、係止凸部３３２は、上記隙間が狭まるように弾性変形可能に構成されている。
【０１０９】
係止凸部３３２は、バンド部３２の複数の係止凹部３２２に選択的に係止可能である。即ち、バンド部３２の巻付対象の太さに応じて、複数の係止凹部３２２の中から適したものと係止凸部３３２とが、係止する。これにより、バンド部３２が、巻付対象の周囲を巻回する状態が持続する。
【０１１０】
皿ばね部３４は、維持部３３に連なり、維持部３３を取り囲むように形成されている。皿ばね部３４は、クランプ部３が相手側部材７に固定される際に弾性変形することにより、皿ばねの機能を果たす。即ち、皿ばね部３４は、維持部３３よりも変形しやすい部分であることが考えられる。例えば、皿ばね部３４は、比較的薄く形成されていること等が考えられる。
【０１１１】
次に、保護部材２Ｅについて説明する。本実施形態では、保護部材２Ｅには、隣り合う直線凸状部２２の間の部分である連結部２３に、被覆部２１を貫通する貫通孔５Ｅが、１つ若しくは直線凸状部２２の延在方向に沿って複数形成されている。ここでは、保護部材２Ｅは、第１実施形態と同様、別体としてそれぞれ形成された一対の被覆部２１を含む。
【０１１２】
本実施形態では、貫通孔５Ｅは、クランプ部３のうちバンド部３２が挿通可能な孔である。例えば、貫通孔５Ｅは、バンド部３２の断面形状（バンド部３２の延在方向に直交な断面での形状）と同じ形状に形成された孔である場合若しくはそれよりも大きな孔である場合が考えられる。
【０１１３】
ワイヤーハーネス６００においては、電線９が、一対の被覆部２１の直線凸状部２２が成す空間２５内に配設された後、貫通孔５Ｅにバンド部３２が挿通され、バンド部３２が空間２５の周囲に巻回される。そして、空間２５の周囲を覆った状態でバンド部３２が、維持部３３と係止することにより、クランプ部３が保護部材２Ｅに装着される。このワイヤーハーネス６００は、クランプ部３により、相手側部材７に固定することが可能である。
【０１１４】
即ち、例えば、図１１に示されるように、クランプ部３の係止部３１を、固定孔７１に対し相手側部材７の一方面７５から他方面７６側へ挿入することで、一対の係止片３１１が固定孔７１の他方面７６側の開口縁部に係止し、相手側部材７にワイヤーハーネス６００を固定できる。
【０１１５】
なお、ワイヤーハーネス６００において、連結部２３のうちバンド部３２が挿通された部分以外の部分に、さらに、仕切部２６が形成されてもよい。
【０１１６】
本実施形態では、以下の効果を有する。即ち、上記の各実施形態と同様、シート状の不織布で形成された保護部材２Ｅを、板状の保護部材２Ｅの主面に垂直な方向に沿う力によって曲がり難くすることができる。
【０１１７】
また、本実施形態では、保護部材２Ｅには、隣り合う直線凸状部２２の間の部分である連結部２３に、被覆部２１を貫通する貫通孔５Ｅが、１つ若しくは直線凸状部２２の延在方向に沿って複数形成されている。この場合、貫通孔５Ｅを、クランプ部３の取付け用の孔として利用できる。
【０１１８】
即ち、本実施形態では、貫通孔５Ｅは、相手側部材７に係止可能な係止部３１と長尺状に形成され巻付対象（空間２５を囲む一対の直線凸状部２２）の周囲に巻回可能なバンド部３２とバンド部３２が巻付対象の周囲に巻回された状態を維持する維持部３３とを含むクランプ部３のうちバンド部３２が挿通可能な孔である。この場合、保護部材２Ｅにクランプ部３を簡単に取り付けることができ、保護部材２Ｅを相手側部材７に固定することができる。
【０１１９】
＜第７実施形態＞
次に、図１４を参照しつつ、第７実施形態に係るワイヤーハーネス７００について説明する。ワイヤーハーネス７００は、複数の電線９と保護部材２Ｅとクランプ部３とを備える。図１４は、ワイヤーハーネス７００の上方斜視図である。なお、図１４に示さされる構成要素のうち、図１〜１３に示される構成要素と同じ構成要素については、同じ参照符号が付されている。以下、本実施形態における上記の各実施形態と異なる点について説明する。
【０１２０】
本実施形態のワイヤーハーネス７００は、保護部材２と複数の電線９とを備える。保護部材２については、第１実施形態と同様であるため、ここでは、その説明を省略する。
【０１２１】
図１４に示されるように、ワイヤーハーネス７００においては、複数の電線９のうちの一部が、直線凸状部２２の延在方向の途中で、複数の直線凸状部２２が並ぶ方向（直線凸状部２２の延在方向に直交する方向）に沿って保護部材２の外部へ引き出されている。
【０１２２】
ここでは、保護部材２の並列に並ぶ複数の空間２５のうち端に位置する空間２５に、２つの電線９が挿通されている。そして、２つの電線９のうちの１つ（電線９Ｆ）が、直線凸状部２２の延在方向における途中で、複数の直線凸状部２２が並ぶ方向に沿って保護部材２の外部へ引き出されている。なお、２つの電線９のうちの残りの１つは、直線凸状部２２の延在方向に沿って空間２５を貫通するように空間２５内に配設されている。また、別の例として、２つ以上の電線９が空間２５に配設されてもよい。
【０１２３】
また、図１４に示されるように、電線９Ｆが保護部材２から引き出される部分に対し、電線９Ｆの両側に、結束部材１５を設けることで若しくは仕切部２６を設けることで、電線９Ｆの位置規制を行うことも可能である。
【０１２４】
本実施形態では、以下の効果を有する。即ち、上記の各実施形態と同様、シート状の不織布で形成された保護部材２を、板状の保護部材２の主面に垂直な方向に沿う力によって曲がり難くすることができる。
【０１２５】
また、本実施形態では、複数の電線９のうちの一部（電線９Ｆ）が、直線凸状部２２の延在方向の途中で複数の直線凸状部２２が並ぶ方向に沿って保護部材２の外部へ引き出されている。即ち、このワイヤーハーネス７００では、分岐部を有する電線９を保護することができる。
【０１２６】
＜第８実施形態＞
次に、図１５，１６を参照しつつ、第８実施形態に係るワイヤーハーネス８００について説明する。ワイヤーハーネス８００は、複数の電線９と保護部材２Ｇとを備える。図１５は、保護部材２Ｇを構成する不織布部材２０Ｇの斜視図である。図１６は、ワイヤーハーネス８００の斜視図である。なお、図１５，１６に示さされる構成要素のうち、図１〜１４に示される構成要素と同じ構成要素については、同じ参照符号が付されている。
【０１２７】
ワイヤーハーネス８００においては、一対の被覆部２１のうちの一方の他方面１２と、一対の被覆部２１のうちの一方の一方面１１と、が向かい合った状態で複数の電線９が一対の被覆部２１間に配設されている。この点は、第３実施形態と同様であるため、その説明を省略する。
【０１２８】
本実施形態では、保護部材２Ｇが、一対の被覆部２１と、一対の被覆部２１を繋ぎ折り曲げられた折り曲げ部２７と、を含む１つの不織布部材２０Ｇを備える。以下、本実施形態における上記の各実施形態と異なる点について説明する。
【０１２９】
不織布部材２０Ｇは、シート状の不織布がホットプレスされることにより硬化した部材である。不織布部材２０Ｇは、その一方主面２１Ｇ側において凸状で、かつ、一方主面２１Ｇに対する反対側の他方主面２２Ｇ側において凹状に形成された直線突出部８１を含む。
【０１３０】
ここでは、直線突出部８１は、不織布部材２０Ｇを横切るように直線状に形成されている。図１５に示されるように、直線突出部８１は、不織布部材２０Ｇの短手方向に延在して形成されている。また、図１５に示されるように、不織布部材２０Ｇには、複数の直線突出部８１が間隔を空けて並列して形成されている。
【０１３１】
また、図１５に示されるように、隣り合う直線突出部８１は、突出部連結部８２によって繋がれている。
【０１３２】
次に、折り曲げ基部２７Ｇについて説明する。折り曲げ基部２７Ｇは、折り曲げられることで、この折り曲げ基部２７Ｇの両側に存在する部分同士を重ね合わせる部分である。ここでは、折り曲げ基部２７Ｇは、図１５に示されるように、１つの突出部連結部８２と１つの直線突出部８１とを含む部分である。
【０１３３】
ワイヤーハーネス８００においては、まず、１つの不織布部材２０Ｇで、複数の電線９を一括してはさむように、不織布部材２０Ｇを折り曲げ基部２７Ｇで折り曲げる。ここでは、折り曲げ基部２７Ｇの両側の部分の他方主面２２Ｇ同士が接触するように、不織布部材２０Ｇが折り曲げ基部２７Ｇで折り曲げられる。
【０１３４】
そして、本実施形態では、折り曲げ基部２７Ｇの両側の部分のうちの一方の直線突出部８１の他方主面２２Ｇ側の溝に、折り曲げ基部２７Ｇの両側の部分のうちの他方の突出部連結部８２が挿入されるように、不織布部材２０Ｇが折り曲げ基部２７Ｇで折り曲げられ、重ね合わされる。これにより、保護部材２Ｇが得られる。
【０１３５】
即ち、折り曲げ基部２７Ｇを介して隣り合う両側の部分は、保護部材２Ｇにおける一対の被覆部２１を成す。また、ここでは、折り曲げ基部２７Ｇの両側の部分のうちの一方の直線突出部８１と折り曲げ基部２７Ｇの両側の部分のうちの他方の突出部連結部８２とが重なる箇所は、被覆部２１の直線凸状部２２を成す。一方、折り曲げ基部２７Ｇの両側の部分のうちの一方の突出部連結部８２と折り曲げ基部２７Ｇの両側の部分のうちの他方の直線突出部８１とが重なる箇所は、被覆部２１の連結部２３を成す。
【０１３６】
ここで、本実施形態における、不織布部材２０Ｇの一方主面２１Ｇ及び他方主面２２Ｇと、被覆部２１の一方面１１及び他方面１２と、の関係について説明する。まず、不織布部材２０Ｇにおける一方主面２１Ｇとは、折り曲げ基部２７Ｇが曲げられていない状態での不織布部材２０Ｇの一方側の主面を意味する。これと同様に、不織布部材２０Ｇにおける他方主面２２Ｇとは、折り曲げ基部２７Ｇが曲げられていない状態での不織布部材２０Ｇの他方側の主面を意味する。従って、不織布部材２０Ｇにおいては、直線突出部８１は、一方主面２１Ｇ側で凸状を成し、他方主面２２Ｇ側で凹状を成している。
【０１３７】
一方、被覆部２１の一方面１１及び他方面１２は、折り曲げ基部２７Ｇが折り曲げられて折り曲げ部２７とされた保護部材２Ｇにおける被覆部２１単体の２つの主面を指す。即ち、折り曲げ部２７を除いて被覆部２１単体でみたときに、直線凸状部２２が凸状を成す方の面が、一方面１１であり、直線凸状部２２が凹状を成す方の面が、他方面１２である。ちなみに、本実施形態では、折り曲げ基部２７Ｇの両側の部分のうちの一方の直線突出部８１の他方主面２２Ｇ側の溝に、折り曲げ基部２７Ｇの両側の部分のうちの他方の突出部連結部８２が挿入されるように、不織布部材２０Ｇが折り曲げ基部２７Ｇで折り曲げられ、重ね合わされる。このため、不織布部材２０Ｇの一方主面２１Ｇは、保護部材２Ｇにおける一対の被覆部２１のうちの一方の一方面１１と他方の他方面１２とを成すといえる。また、これと同様に、不織布部材２０Ｇの他方主面２２Ｇは、保護部材２Ｇにおける一対の被覆部２１のうちの一方の一方面１１と他方の他方面１２とを成すといえる。
【０１３８】
本実施形態では、以下の効果を有する。即ち、上記の各実施形態と同様、シート状の不織布で形成された保護部材２Ｇを、板状の保護部材２Ｇの主面に垂直な方向に沿う力によって曲がり難くすることができる。
【０１３９】
また、本実施形態では、保護部材２Ｇは、一対の被覆部２１と、一対の被覆部２１を繋ぎ折り曲げられた折り曲げ部２７と、を含む１つの不織布部材２０Ｇを備える。この場合、１つの不織布部材２０Ｇで複数の電線９の周囲を覆うことができるため、ワイヤーハーネス８００を構成する部品点数が少なくなる。
【０１４０】
また、本実施形態では、一対の被覆部２１のうちの一方の他方面１２と、一対の被覆部２１のうちの他方の一方面１１と、が向かい合った状態で、複数の電線９が一対の被覆部２１間に配設されている。この場合、保護部材２Ｇの厚み方向における寸法が小さくなるため、このワイヤーハーネス８００は、扁平な空間への配設に適する。
【０１４１】
＜応用例＞
連結部に形成された貫通孔が、治具を通す孔、被覆部の切断用孔及びクランプ部の取付け用の孔のうち少なくとも２つ以上を兼用する場合も考えられる。例えば、上記第５実施形態の電線支持部の先端部が挿通される貫通孔に、第６実施形態のクランプ部のバンド部が挿通されてもよい。
【０１４２】
なお、本発明に係るワイヤーハーネス及びクランプ付ワイヤーハーネスは、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【０１４３】
１００  ワイヤーハーネス
１１  一方面
１２  他方面
２  保護部材
２１  被覆部
２２  直線凸状部
２３  連結部
２５  空間
２６  仕切部
２７  折り曲げ部
３  クランプ部
３１  係止部
３２  バンド部
３３  維持部
５Ｃ  貫通孔
６１  被覆部母材
６２  図板
６３  電線支持部
７  相手側部材
９  電線
【図１】
2017139881.tif 000003
【図２】
2017139881.tif 000004
【図３】
2017139881.tif 000005
【図４】
2017139881.tif 000006
【図５】
2017139881.tif 000007
【図６】
2017139881.tif 000008
【図７】
2017139881.tif 000009
【図８】
2017139881.tif 000010
【図９】
2017139881.tif 000011
【図１０】
2017139881.tif 000012
【図１１】
2017139881.tif 000013
【図１２】
2017139881.tif 000014
【図１３】
2017139881.tif 000015
【図１４】
2017139881.tif 000016
【図１５】
2017139881.tif 000017
【図１６】
2017139881.tif 000018